(57)【要約】【課題】片面が印刷された記録紙を印刷部へ再供給するための再供給通路の構成を工夫することで、プリンタ本体が大型化するのを抑える。【解決手段】収容トレイ２１内の最上部の記録紙Ｐの上方に両面搬送ガイド４０が配設されることで、両面搬送ガイド４０と記録紙Ｐとの間に再供給通路１６が設けられる。印刷部２５で片面が印刷された記録紙Ｐは、排出ローラ２７の逆回転によってスイッチバックされ、搬送通路１５と再供給通路１６とを繋ぐスイッチバック通路１７に送り出される。スイッチバック通路１７を通過することで搬送の向きが逆向きとなった記録紙Ｐは、再供給ローラ２８によって再供給通路１６に送り出されて収容トレイ２１内に戻されるとともに、送り出しローラ３２に受け渡される。【選択図】図２
2016050101.tif 000002
【特許請求の範囲】
【請求項１】
複数枚の記録紙を収容可能な収容トレイと、該収容トレイが着脱可能に取り付けられるプリンタ本体と、該プリンタ本体内の所定の搬送通路に沿って該記録紙を搬送する搬送ローラと、該記録紙に対して印刷を行う印刷部とを備え、片面が印刷された該記録紙を該印刷部へ再供給して反対側の面に印刷を行うことで該記録紙の両面に印刷を行うプリンタであって、
前記収容トレイ内の最上部の記録紙を前記搬送通路へ送り出す送り出しローラと、
前記収容トレイ内の最上部の記録紙を覆うように該記録紙の上方に配設されて該記録紙との間に再供給通路を区画する両面搬送ガイドと、
前記印刷部で印刷された前記記録紙をスイッチバックさせて、該搬送通路と前記再供給通路とを繋ぐスイッチバック通路に送り出すスイッチバックローラと、
前記スイッチバック通路を通過する前記記録紙を前記再供給通路に送り出す再供給ローラとを備えたことを特徴とするプリンタ。
【請求項２】
請求項１において、
前記送り出しローラは、前記収容トレイ内の最上部の記録紙に圧着する圧着位置と、該記録紙から離れる待避位置との間で移動可能に構成され、
前記両面搬送ガイドは、前記送り出しローラの圧着位置又は待避位置への移動動作にそれぞれ連動して、前記記録紙に当接又は該記録紙から離れるように移動可能に構成されていることを特徴とするプリンタ。
【請求項３】
請求項２において、
前記両面搬送ガイドは、
前記送り出しローラ側の先端部に設けられ、前記収容トレイ内の最上部の記録紙に当接するガイドローラと、
前記スイッチバック通路側の基端部に設けられ、前記ガイドローラが上下動するように前記両面搬送ガイドを回動可能に支持する支持軸と、
前記送り出しローラの圧着位置又は待避位置への移動動作にそれぞれ連動して、前記ガイドローラが前記記録紙に当接又は該記録紙から離れるように前記両面搬送ガイドを回動させるリンク部とを備えたことを特徴とするプリンタ。
【請求項４】
請求項３において、
前記リンク部は、
前記両面搬送ガイドに設けられたリンク軸と、
前記送り出しローラを回転可能に支持する本体部に設けられ、前記リンク軸が摺動可能に嵌め込まれる係合溝が形成されたリンク係合部とを備え、
前記両面搬送ガイドは、前記送り出しローラの移動動作に連動して前記リンク軸が前記係合溝内を相対移動することで、前記支持軸を中心に回動するように構成されていることを特徴とするプリンタ。
【請求項５】
請求項１において、
前記両面搬送ガイドは、
前記送り出しローラ側の先端部に設けられ、前記収容トレイ内の最上部の記録紙に当接するガイドローラと、
前記スイッチバック通路側の基端部に設けられ、前記ガイドローラが上下動するように該両面搬送ガイドを回動可能に支持する支持軸とを備え、
前記収容トレイを前記プリンタ本体から取り外したときに、前記支持軸を中心に回動することで基端部から先端部に向かって斜め下方に傾斜しており、
前記収容トレイは、前記プリンタ本体に対してスライド移動させたときに前記ガイドローラに当接する傾斜面を有して該ガイドローラを傾斜面に沿って上昇させるためのリフト部を備えていることを特徴とするプリンタ。
【発明の詳細な説明】
【技術分野】
【０００１】
本発明は、プリンタに関するものである。
【背景技術】
【０００２】
従来より、印刷部で片面が印刷された記録紙を印刷部へ再供給して反対側の面に印刷を行うことで、記録紙の両面に印刷を行うプリンタが知られている（例えば、特許文献１，２参照）。
【０００３】
特許文献１には、片面が印刷されたシートの両面印刷を行うにあたって、排出ローラを逆回転させてシートの先端後端が逆転した状態でシート再給送搬送部へ搬送し、カセットからの搬送路に合流させることで、感光ドラムでシートの反対側の面に印刷するようにした構成が記載されている。
【０００４】
特許文献２には、用紙を反転させるための反転部や、反転された用紙を給紙搬送部に送り込むための両面搬送路などを有する両面反転ユニットを備えた構成が記載されている。そして、両面印刷のときには、一面に画像が形成された用紙を両面反転ユニット内に送り込んで用紙をスイッチバックで反転した後、給紙搬送部に再給紙し、給紙搬送部によって用紙を画像形成部に送り込み、画像形成部によって用紙を搬送しながら用紙の他面に画像を形成するようにしている。
【先行技術文献】
【特許文献】
【０００５】
【特許文献１】特開２００２−２７４６９５号公報
【特許文献２】特開２００５−０８９１３６号公報
【発明の概要】
【発明が解決しようとする課題】
【０００６】
しかしながら、従来の画像形成装置では、カセットから排出シート積載台に至る通常の記録紙の搬送通路とは異なる通路として、シート再給送搬送部（特許文献１参照）や両面反転ユニット（特許文献２参照）を別途設ける必要があるので、装置が大型化するとともにコストがかかってしまうという問題がある。
【０００７】
本発明は、かかる点に鑑みてなされたものであり、その目的は、片面が印刷された記録紙を印刷部へ再供給するための再供給通路の構成を工夫することで、プリンタ本体が大型化するのを抑えることにある。
【課題を解決するための手段】
【０００８】
本発明の一態様は、複数枚の記録紙を収容可能な収容トレイと、該収容トレイが着脱可能に取り付けられるプリンタ本体と、該プリンタ本体内の所定の搬送通路に沿って該記録紙を搬送する搬送ローラと、該記録紙に対して印刷を行う印刷部とを備え、片面が印刷された該記録紙を該印刷部へ再供給して反対側の面に印刷を行うことで該記録紙の両面に印刷を行うプリンタを対象としている。そして、前記収容トレイ内の最上部の記録紙を前記搬送通路へ送り出す送り出しローラと、前記収容トレイ内の最上部の記録紙を覆うように該記録紙の上方に配設されて該記録紙との間に再供給通路を区画する両面搬送ガイドと、前記印刷部で印刷された前記記録紙をスイッチバックさせて、該搬送通路と前記再供給通路とを繋ぐスイッチバック通路に送り出すスイッチバックローラと、前記スイッチバック通路を通過する前記記録紙を前記再供給通路に送り出す再供給ローラとを備えている。
【０００９】
この態様では、収容トレイ内の最上部の記録紙と両面搬送ガイドとの間に再供給通路を設け、印刷部で片面が印刷された記録紙をスイッチバックさせて、スイッチバック通路及び再供給通路に送り出すようにしている。つまり、片面が印刷された記録紙がスイッチバックされて収容トレイ内に戻されることとなる。これにより、再供給専用の通路をプリンタ本体内に別途設ける必要が無いため、プリンタ本体が大型化するのを抑えることができる。
【００１０】
そして、上の態様のプリンタにおいて、前記送り出しローラは、前記収容トレイ内の最上部の記録紙に圧着する圧着位置と、該記録紙から離れる待避位置との間で移動可能に構成され、前記両面搬送ガイドは、前記送り出しローラの圧着位置又は待避位置への移動動作にそれぞれ連動して、前記記録紙に当接又は該記録紙から離れるように移動可能に構成されていてもよい。
【００１１】
この態様では、送り出しローラの圧着位置への移動動作に連動して両面搬送ガイドが移動して記録紙に当接する。また、送り出しローラの待避位置への移動動作に連動して両面搬送ガイドが移動して記録紙から離れる。これにより、両面搬送ガイドを記録紙に当接又は記録紙から離れるように移動させるための機構を別途設ける必要が無い。また、このような機構を別途設ける場合に比べて、コスト低減を図ることができる。
【００１２】
また、上の態様のプリンタにおいて、前記両面搬送ガイドは、前記送り出しローラ側の先端部に設けられ、前記収容トレイ内の最上部の記録紙に当接するガイドローラと、前記スイッチバック通路側の基端部に設けられ、前記ガイドローラが上下動するように前記両面搬送ガイドを回動可能に支持する支持軸と、前記送り出しローラの圧着位置又は待避位置への移動動作にそれぞれ連動して、前記ガイドローラが前記記録紙に当接又は該記録紙から離れるように前記両面搬送ガイドを回動させるリンク部とを備えた構成であってもよい。
【００１３】
この態様では、送り出しローラの圧着位置への移動動作に連動して両面搬送ガイドが回動し、ガイドローラが記録紙に当接する。また、送り出しローラの待避位置への移動動作に連動して両面搬送ガイドが回動し、ガイドローラが記録紙から離れる。これにより、両面搬送ガイドを回動させるための回動機構を別途設ける必要が無い。
【００１４】
また、上の態様のプリンタにおいて、前記リンク部は、前記両面搬送ガイドに設けられたリンク軸と、前記送り出しローラを回転可能に支持する本体部に設けられ、前記リンク軸が摺動可能に嵌め込まれる係合溝が形成されたリンク係合部とを備え、前記両面搬送ガイドは、前記送り出しローラの移動動作に連動して前記リンク軸が前記係合溝内を相対移動することで、前記支持軸を中心に回動するように構成されていてもよい。
【００１５】
この態様では、送り出しローラの圧着位置への移動動作に連動してリンク軸が係合溝内を相対移動することで両面搬送ガイドが回動し、ガイドローラが記録紙に当接する。また、送り出しローラの待避位置への移動動作に連動してリンク軸が係合溝内を相対移動することで両面搬送ガイドが回動し、ガイドローラが記録紙から離れる。
【００１６】
また、上の態様のプリンタにおいて、前記両面搬送ガイドは、前記送り出しローラ側の先端部に設けられ、前記収容トレイ内の最上部の記録紙に当接するガイドローラと、前記スイッチバック通路側の基端部に設けられ、前記ガイドローラが上下動するように該両面搬送ガイドを回動可能に支持する支持軸とを備え、前記収容トレイを前記プリンタ本体から取り外したときに、前記支持軸を中心に回動することで基端部から先端部に向かって斜め下方に傾斜しており、前記収容トレイは、前記プリンタ本体に対してスライド移動させたときに前記ガイドローラに当接する傾斜面を有して該ガイドローラを傾斜面に沿って上昇させるためのリフト部を備えた構成であってもよい。
【００１７】
この態様では、収容トレイをプリンタ本体にセットする際のスライド動作に連動して、ガイドローラがリフト部の傾斜面に沿って上昇する。これにより、両面搬送ガイドを回動させてガイドローラを持ち上げるための回動機構を別途設ける必要が無い。
【発明の効果】
【００１８】
本発明によれば、片面が印刷された記録紙をスイッチバックさせて収容トレイ内に戻すようにしたので、再供給専用の通路をプリンタ本体内に別途設ける必要が無く、プリンタ本体が大型化するのを抑えることができる。
【図面の簡単な説明】
【００１９】
【図１】本実施形態１に係るプリンタの構成を示す正面図である。
【図２】プリンタの内部の構成を示す側面断面図である。
【図３】送り出し部の構成を示す斜視図である。
【図４】両面搬送ガイドの構成を示す斜視図である。
【図５】送り出し部及び両面搬送ガイドの構成を示す平面図である。
【図６】収容トレイ内の記録紙の枚数が多いときの、送り出し部の構成を示す側面断面図である。
【図７】収容トレイ内の記録紙の枚数が少ないときの、送り出し部の構成を示す側面断面図である。
【図８】本実施形態２に係るプリンタの収容トレイをスライド移動させたときの側面断面図であり、ガイドローラがリフト部に当接する直前の状態を示している。
【図９】ガイドローラがリフト部の傾斜面に沿って上昇している状態を示す図８相当図である。
【図１０】ガイドローラがリフト部の水平面に沿って移動している状態を示す図８相当図である。
【図１１】ガイドローラが記録紙の上面に当接した状態を示す図８相当図である。
【発明を実施するための形態】
【００２０】
以下、本発明の実施形態を図面に基づいて説明する。なお、以下の好ましい実施形態の説明は、本質的に例示に過ぎず、本発明、その適用物或いはその用途を制限することを意図するものではない。
【００２１】
《実施形態１》
図１及び図２に示すように、プリンタ１０は、プリンタ本体２０と、プリンタ本体２０の下部側に着脱自在に取り付けられた収容トレイ２１とを備えている。なお、本実施形態では、収容トレイ２１が取り付けられる側をプリンタ前側といい、その反対側をプリンタ後側という。また、プリンタ前後方向に対して水平に直交する方向をプリンタ幅方向という。
【００２２】
収容トレイ２１には、複数枚の記録紙Ｐが厚み方向に積層された状態で収容されている。収容トレイ２１は、プリンタ本体２０に対してスライド移動させることによって着脱自在に取り付けられる。
【００２３】
プリンタ本体２０は、収容トレイ２１内の記録紙Ｐを所定の搬送通路１５へ送り出す送り出し部３０と、レーザー記録方式で記録紙Ｐの片面に印刷を行う印刷部２５と、印刷部２５で印刷されたトナー像を定着させる定着部２６と、印刷後の記録紙Ｐをプリンタ本体２０の外側に排出する排出ローラ２７とを備えている。
【００２４】
図３にも示すように、送り出し部３０は、内部に伝動ギア（図示省略）が収納された本体部３１と、本体部３１のプリンタ前側で回転可能に支持された送り出しローラ３２と、本体部３１のプリンタ後側に取り付けられてプリンタ幅方向に延びる回動軸３３とを有する。送り出し部３０は、収容トレイ２１の上方に配設されている。
【００２５】
送り出しローラ３２は、本体部３１を挟んでプリンタ幅方向に２つ設けられており、駆動モータ（図示省略）の回転駆動力が伝動ギアを介して伝達されることで、回転駆動するようになっている。送り出しローラ３２は、本体部３１とともに回動軸３３を中心に回動することで、収容トレイ２１内の最上部の記録紙Ｐに圧着する圧着位置と、記録紙Ｐから離れる待避位置との間で移動可能となっている。
【００２６】
送り出しローラ３２は、収容トレイ２１内の最上部の記録紙Ｐに圧着しながら図２で時計回り方向に回転駆動することで、最上部の記録紙Ｐだけを収容トレイ２１の外側へ送り出す。
【００２７】
送り出しローラ３２により収容トレイ２１の外側に送り出された記録紙Ｐは、プリンタ本体２０側の搬送通路１５を通って搬送ローラ２４に受け渡される。搬送ローラ２４によって搬送された記録紙Ｐは、印刷部２５へ供給される。
【００２８】
また、プリンタ本体２０のプリンタ前側壁には、記録紙Ｐを手差し挿入することが可能な手差し開口部１１が形成されている。手差し開口部１１は、プリンタ前側から見て、搬送ローラ２４に対してスムーズに記録紙Ｐを手差し挿入可能な位置に形成されている。手差し挿入された記録紙Ｐについても同様に、搬送ローラ２４によって印刷部２５へ供給される。
【００２９】
印刷部２５は、所定の画像データに基づいて記録紙Ｐに印刷を行うものであり、感光ドラム２５ａと、感光ドラム２５ａに対向して配設された転写ローラ２５ｂと、感光ドラム２５ａへの帯電などを行う現像部２５ｃと、感光ドラム２５ａにレーザー光を照射するレーザスキャニングユニット２５ｄ（ＬＳＵ：Laser Scanning Unit）とを有する。
【００３０】
感光ドラム２５ａは、現像部２５ｃによってその表面が帯電され、レーザスキャニングユニット２５ｄから画像信号に対応したレーザー光が照射されることで潜像が形成される。そして、感光ドラム２５ａにトナーを近づけることで表面にトナー像が形成される。
【００３１】
転写ローラ２５ｂは、記録紙Ｐを感光ドラム２５ａに圧着させることにより、感光ドラム２５ａ表面に形成されたトナー像を記録紙Ｐに転写させる。これにより、記録紙Ｐの片面に画像が印刷される。
【００３２】
印刷部２５で印刷された記録紙Ｐは、定着部２６に向かって搬送される。定着部２６は、定着ローラ２６ａ及び加圧ローラ２６ｂを有しており、トナーが転写された記録紙Ｐを加熱及び加圧することで、トナーを記録紙Ｐに定着させる。
【００３３】
定着部２６でトナーが定着された記録紙Ｐは、排出ローラ２７に向かって搬送される。排出ローラ２７は、図２で時計回り方向に正回転することで、記録紙Ｐをプリンタ本体２０の外側に排出させる。排出ローラ２７によって排出された記録紙Ｐは、記録紙Ｐを受け止めるための載置台１２に載置される。
【００３４】
ここで、本実施形態に係るプリンタ１０は、片面が印刷された記録紙Ｐをスイッチバックさせて印刷部２５へ再供給して反対側の面に印刷を行うことで記録紙Ｐの両面に印刷することが可能となっている。以下、両面印刷を行うための構成について説明する。
【００３５】
収容トレイ２１の上方には、収容トレイ２１内の最上部の記録紙Ｐを覆うように、板状の両面搬送ガイド４０が配設されている。両面搬送ガイド４０と記録紙Ｐとの間には、再供給通路１６が区画形成されている。
【００３６】
図４及び図５に示すように、両面搬送ガイド４０におけるプリンタ前側の先端部は、プリンタ幅方向の中央部が切り欠かれている。これにより、両面搬送ガイド４０の先端部には、プリンタ幅方向に間隔をあけて２つのローラ支持部４１が設けられる。
【００３７】
ローラ支持部４１の先端には、ガイドローラ４２が回転可能に支持されている。ローラ支持部４１におけるガイドローラ４２の近傍には、湾曲状に盛り上がった補強部４３が設けられている。また、２つのローラ支持部４１に跨がるように、リンク軸４４が連結されている。リンク軸４４は、後述するリンク部３５（図６参照）を構成している。２つのローラ支持部４１の間には、送り出しローラ３２が配設されている。
【００３８】
両面搬送ガイド４０におけるプリンタ後側の基端部には、プリンタ幅方向に延びる支持軸４５がそれぞれ設けられている。支持軸４５は、プリンタ本体２０に取り付けられており、ガイドローラ４２が上下動するように両面搬送ガイド４０を回動可能に支持している。
【００３９】
図６及び図７に示すように、送り出し部３０の本体部３１の下面には、リンク係合部３６が設けられている。リンク係合部３６には、プリンタ後側が開口した係合溝３６ａが形成されている。係合溝３６ａには、両面搬送ガイド４０のリンク軸４４が摺動可能に嵌め込まれている。このように、リンク係合部３６とリンク軸４４とによって、送り出しローラ３２の圧着位置又は待避位置への移動動作に連動して両面搬送ガイド４０を回動させるためのリンク部３５が構成されている。
【００４０】
ここで、収容トレイ２１内の記録紙Ｐの枚数が多い場合（図６参照）と、枚数が少ない場合（図７参照）とで、送り出し部３０の回動角度が変化する。そのため、リンク係合部３６の係合溝３６ａの奥行長さは、記録紙Ｐの収容枚数にかかわらず、リンク軸４４が係合溝３６ａ内を相対移動することで、送り出し部３０と両面搬送ガイド４０との相対位置が変化可能となるように設定されている。
【００４１】
このような構成とすれば、送り出しローラ３２の圧着位置への移動動作に連動してガイドローラ４２が記録紙Ｐに当接するように両面搬送ガイド４０を回動させる一方、送り出しローラ３２の待避位置への移動動作に連動してガイドローラ４２が記録紙Ｐから離れるように両面搬送ガイド４０を回動させることができる。
【００４２】
図２に示すように、搬送通路１５における定着部２６と排出ローラ２７との間には、搬送通路１５と再供給通路１６とを繋ぐスイッチバック通路１７が設けられている。スイッチバック通路１７には、再供給ローラ２８が配設されている。
【００４３】
ここで、記録紙Ｐに両面印刷を行う場合には、片面が印刷されて定着部２６より送り出された記録紙Ｐを、搬送の向きが逆向きとなるようにスイッチバックさせる必要がある。
【００４４】
排出ローラ２７は、図２で時計回り方向に回転して記録紙Ｐを載置台１２に排出する正回転と、図２で反時計回り方向に回転して記録紙Ｐをスイッチバック通路１７に戻す逆回転とを行うように構成されている。つまり、排出ローラ２７がスイッチバックローラを構成している。なお、排出ローラ２７とは別にスイッチバックローラを設けた構成としてもよい。
【００４５】
ここで、排出ローラ２７が、定着部２６より搬送されてきた記録紙Ｐを受け取る際には、排出ローラ２７は正回転している。そして、記録紙Ｐの後端が搬送通路１５とスイッチバック通路１７との分岐位置を通り過ぎるまで、排出ローラ２７によって載置台１２側へ搬送される。なお、記録紙Ｐの後端が搬出ローラ２７を通過する直前まで搬送してもよい。
【００４６】
ここで、記録紙Ｐの後端がスイッチバック可能な位置まで搬送されたかを検知するためには、例えば、搬送ローラ２４と感光ドラム２５ａとの間に配設されたペーパーインセンサ（図示省略）で記録紙Ｐの先端位置を検知しておき、搬送ローラ２４の回転数に基づいて紙送り量を算出するようにすればよい。
【００４７】
その後、排出ローラ２７を逆回転させて、記録紙Ｐを後端側からスイッチバック通路１７へ向けて搬送する。排出ローラ２７によりスイッチバックされた記録紙Ｐは、スイッチバック通路１７を通過して再供給ローラ２８に受け渡される。記録紙Ｐは、スイッチバック通路１７を通過することで搬送の向きが逆向きとなる。スイッチバック通路１７を通過する記録紙Ｐは、再供給ローラ２８によって、両面搬送ガイド４０と収容トレイ２１内に収容されている次の記録紙Ｐとの間に設けられた再供給通路１６へ搬送され、送り出しローラ３２に受け渡される。
【００４８】
なお、最後の１枚の記録紙Ｐを印刷しているときには、収容トレイ２１内に記録紙Ｐが収容されていない状態となる。この場合には、両面搬送ガイド４０と収容トレイ２１の底面との間に再供給通路１６が区画形成される。
【００４９】
このように、再供給通路１６を通って収容トレイ２１内に収容された記録紙Ｐの下面は、印刷部２５によって最初に印刷された面とは反対側の面であり、未だ印刷されていない面である。そして、最初の印刷時と同様に反対側の面にも印刷することで、記録紙Ｐの両面に印刷されることになる。
【００５０】
以上のように、本実施形態に係るプリンタ１０では、片面が印刷された記録紙Ｐをスイッチバックさせて収容トレイ２１内に戻すようにしたので、再供給専用の通路をプリンタ本体２０内に別途設ける必要が無く、プリンタ本体２０が大型化するのを抑えることができる。
【００５１】
《実施形態２》
図８は、本実施形態２に係るプリンタの収容トレイをスライド移動させたときの側面断面図である。以下、前記実施形態１と同じ部分については同じ符号を付し、相違点についてのみ説明する。
【００５２】
図８に示すように、両面搬送ガイド４０におけるプリンタ前側の先端部には、ガイドローラ４２が設けられている。両面搬送ガイド４０におけるプリンタ後側の基端部には、ガイドローラ４２が上下動するように両面搬送ガイド４０を回動可能に支持する支持軸４５が設けられている（図２参照）。
【００５３】
ここで、両面搬送ガイド４０は、収容トレイ２１を取り外したときに、支持軸４５を中心に回動することでプリンタ後側からプリンタ前側に向かって斜め下方に傾斜している。
【００５４】
収容トレイ２１のプリンタ後側の端部には、ガイドローラ４２に対応する位置にリフト部２２が設けられている。リフト部２２は、収容トレイ２１をスライド移動させたときにガイドローラ４２に当接する傾斜面２２ａと、傾斜面２２ａの上端部からプリンタ前側に向かって水平方向に延びる水平面２２ｂとを有する。
【００５５】
ここで、収容トレイ２１をスライド移動させると、図９に示すように、ガイドローラ４２がリフト部２２の傾斜面２２ａに沿って上昇する。その後、図１０に示すように、ガイドローラ４２がリフト部２２の水平面２２ｂに乗り上げ、水平面２２ｂに沿って水平方向に相対移動する。そして、図１１に示すように、ガイドローラ４２は、リフト部２２の水平面２２ｂから収容トレイ２１内の最上部の記録紙Ｐに当接して、記録紙Ｐの上面に沿って相対移動する。
【００５６】
これにより、収容トレイ２１をプリンタ本体２０にセットする際のスライド動作に連動して、ガイドローラ４２を記録紙Ｐの上面に当接するように持ち上げることができる。
【００５７】
《その他の実施形態》
前記実施形態については、以下のような構成としてもよい。
【００５８】
本実施形態では、レーザー記録方式の印刷部２５を備えたレーザープリンタについて説明したが、インクジェット記録方式の印刷部２５を備えたインクジェットプリンタであってもよい。
【００５９】
また、本実施形態では、両面搬送ガイド４０をプリンタ本体２０側に取り付けるようにした構成について説明したが、両面搬送ガイド４０を収容トレイ２１側に取り付けるようにしてもよい。
【産業上の利用可能性】
【００６０】
以上説明したように、本発明は、片面が印刷された記録紙を印刷部へ再供給するための再供給通路の構成を工夫することで、プリンタ本体が大型化するのを抑えることができるという実用性の高い効果が得られることから、きわめて有用で産業上の利用可能性は高い。
【符号の説明】
【００６１】
１０    プリンタ
１５    搬送通路
１６    再供給通路
１７    スイッチバック通路
２０    プリンタ本体
２１    収容トレイ
２２    リフト部
２２ａ  傾斜面
２４    搬送ローラ
２５    印刷部
２７    排出ローラ（スイッチバックローラ）
２８    再供給ローラ
３１    本体部
３２    送り出しローラ
３５    リンク部
３６    リンク係合部
３６ａ  係合溝
４０    両面搬送ガイド
４２    ガイドローラ
４４    リンク軸
４５    支持軸
Ｐ    記録紙
【図１】
2016050101.tif 000003
【図２】
2016050101.tif 000004
【図３】
2016050101.tif 000005
【図４】
2016050101.tif 000006
【図５】
2016050101.tif 000007
【図６】
2016050101.tif 000008
【図７】
2016050101.tif 000009
【図８】
2016050101.tif 000010
【図９】
2016050101.tif 000011
【図１０】
2016050101.tif 000012
【図１１】
2016050101.tif 000013